(57)【特許請求の範囲】
【請求項１】
トランスと、トランス駆動回路と、該トランス駆動回路を制御する制御回路とを備え、前記トランス駆動回路にて前記トランスの一次側を駆動し、前記トランスの二次側に放電灯を接続して点灯させる放電灯点灯装置において、
前記トランスの二次側の一端と前記放電灯の間にパターンコンデンサで形成された高圧コンデンサを設けると共に前記高圧コンデンサに近接する放電検出用パターンを設け、前記放電検出用パターンに誘起される電圧を検知して前記トランスの二次側への給電を停止する手段を備えたことを特徴とする放電灯点灯装置。
【請求項２】
前記高圧コンデンサの電極は、プリント基板の両面に形成されていることを特徴とする請求項１に記載の放電灯点灯装置。
【請求項３】
前記高圧コンデンサの少なくとも一方の電極は、プリント基板の内層に形成されていることを特徴とする請求項１に記載の放電灯点灯装置。
【請求項４】
前記放電検出用パターンと前記高圧コンデンサの一方の電極は、プリント基板の同一面上に形成されていることを特徴とする請求項１から３のいずれか１項に記載の放電灯点灯装置。
【請求項５】
前記放電検出用パターンは、前記高圧コンデンサの両方の電極の間に形成されていることを特徴とする請求項１から３のいずれか１項に記載の放電灯点灯装置。
【請求項６】
前記放電検出用パターンは、ジグザク状に形成された部分を含むことを特徴とする請求項１から５のいずれか１項に記載の放電灯点灯装置。
【請求項７】
前記放電検出用パターンは、渦巻状に形成された部分を含むことを特徴とする請求項１から６のいずれか１項に記載の放電灯点灯装置。
【請求項８】
前記高圧コンデンサの少なくとも一方の電極は、複数の分割電極パターンにより構成されることを特徴とする請求項１から７のいずれか１項に記載の放電灯点灯装置。
【発明の詳細な説明】
【技術分野】
【０００１】
本発明は、液晶表示装置の照明用放電灯を点灯させる放電灯点灯装置に係り、特に、異常放電の検知機能を有する放電灯点灯装置に関する。
【背景技術】
【０００２】
液晶モニタ、液晶テレビジョン装置等の表示装置として利用されている液晶ディスプレイには、バックライト装置のような照明装置が用いられている。このような照明装置の光源としては、冷陰極ランプのような放電灯が広く使用されており、放電灯の点灯装置は、通常、放電灯を点灯させるために必要な高圧の交流電圧を得るために、昇圧用のトランスを有するインバータ回路を備えている。
【０００３】
従来の放電灯点灯装置用インバータ回路には、トランスの二次側に高圧コンデンサを接続し、この高圧コンデンサと、トランスのリーケージインダクタンスと、負荷として接続される放電灯の持つ寄生容量とで共振回路を形成して、この共振回路の共振周波数でトランスの一次側を駆動するものがある（例えば、特許文献１参照）。
【０００４】
図７は、このような放電灯点灯装置の一例を示す回路構成図である。図７に示す放電灯点灯装置５０は、トランス５４を備えており、トランス５４の一次巻線は図示しないＨブリッジ回路の出力端子５１ａ、５１ｂに接続され、トランス５４の二次巻線には共振回路５９を介して放電灯５６が接続されている。ここで、共振回路５９は、トランス５４のリーケージインダクタンス５７と、高圧コンデンサ５８と、図示しない放電灯５６の寄生容量とで形成されており、放電灯点灯装置５０では、トランス５４の一次側を駆動するＨブリッジ回路の動作周波数を共振回路５９の共振周波数とすることによって、トランス５４の電力効率の向上が図られている。
【０００５】
また、一般に、インバータ回路の出力電圧は高圧であるため、インバータから交流出力が供給される放電灯を含む電流ルートにおいて、はんだ付け部のクラックやコネクタの不完全接続あるいは外圧による部材や配線の変形などの不具合による回路配線の断線放電、高低圧部間の破壊放電、および地絡放電等の異常放電が生じることがある。このような異常放電が発生した場合、例えば、アーク放電は火花を伴うため、端子や部品が損傷し、場合によっては発煙発火してしまうという問題が起こる。
【０００６】
このため、従来、昇圧用のトランスを備えた放電灯点灯装置において、異常放電を検知すると共にこれらの放電が生じた場合には放電灯への給電を停止して放電灯点灯装置および液晶表示装置の損傷を防止するようにしたものが提案されている（例えば、特許文献２参照）。
【０００７】
図８は、このような放電灯点灯装置の一例を示す回路構成図である。放電灯点灯装置１００において、トランス１０５の一次側にはトランス駆動回路１０４が接続され、トランス駆動回路１０４にはその動作を制御する制御回路１０３が接続されている。トランス１０５の二次巻線の一端には放電灯１０６の一端が接続され、放電灯１０６の他端にはランプ電流を電圧に変換するための電流電圧変換回路１０７が設けられている。この電流電圧変換回路１０７からの出力は、ランプ電流制御用パターン１０８を介して制御回路１０３に入力し、制御回路１０３は、この出力信号に応じて、ランプ電流が一定となるようにトランス駆動回路１０４を制御するものである。さらに、トランス１０５の二次巻線の他端（グランド接地側）には、放電検出用パターン１１１がランプ電流制御用パターン１０８と近接並行して設けられている。
【０００８】
放電灯点灯装置１００において、トランス１０５の二次側配線の部分断線した箇所でコロナ放電あるいはアーク放電が生じた場合には、これらの放電がランプ電流にノイズ成分として混入する。このノイズ成分に含まれる高い周波数成分によって、ランプ電流制御用パターン１０８に近接並行して配置された放電検出用パターン１１１に誘起電圧が生じ、この誘起電圧は、放電検出ダイオード１１２および積分回路１１３を経て制御回路１０３に入力される。制御回路１０３は、入力された電圧とあらかじめ設定した基準電圧とを比較し、入力された電圧が基準電圧を超えた場合には、トランス駆動回路１０４の動作を停止する。
【０００９】
放電灯点灯装置１００は、このようにして、トランス１０５の二次側の回路中に生じたコロナ放電あるいはアーク放電を検知し、これらの放電が生じた場合にはトランス１０５の二次側への給電を停止して放電の持続を遮断することによって、放電灯点灯装置１００および液晶表示装置を保護するものである。
【００１０】
【特許文献１】米国特許第６，１１４，８１４号明細書
【特許文献２】特開２００５−１８３０９９号公報
【発明の開示】
【発明が解決しようとする課題】
【００１１】
ここで、図７に示す放電灯点灯装置５０のように、トランス５４の二次側に高圧コンデンサ５８を備えた放電灯点灯装置には、高圧コンデンサ５８として比較的高価な部品である高耐圧性のコンデンサを使用する必要があるため、コストの増大を招くという問題があった。特に、液晶テレビジョン装置等の表示装置として使用される大型の液晶ディスプレイでは、高輝度を達成するために複数本の放電灯を配置したバックライト装置が用いられるため、その放電灯点灯装置には放電灯数に応じた数の高圧コンデンサ５８が必要となり、コストの増大に対して一層大きな影響を及ぼすことになる。
【００１２】
この問題の対策として、高圧コンデンサ５８として、個別の電子部品を使用する代わりに、誘電体である基板とこの基板に形成された電極パターンとから構成される所謂パターンコンデンサを用いることができる。しかしながら、放電灯点灯装置５０のように共振回路５９の共振周波数（あるいは、この共振周波数に関連して定まる特定の周波数）にてトランス５４を駆動するタイプの放電灯装置には、パターンコンデンサの使用に際して次のような問題がある。
【００１３】
すなわち、放電灯５６の寄生容量の大きさは、放電灯５６と放電灯５６を取り付けている金属シャーシ部との距離などの影響を受けるため、製品設計の変更などによる金属シャーシ部や放電灯５６の取り付け構造の変更に伴って変化し、その結果、共振回路５９の共振周波数も変化してしまう。したがって、高圧コンデンサ５８としてパターンコンデンサを用いた場合、放電灯５６の寄生容量が変わる都度、それに応じてパターンコンデンサの設計変更、すなわち、一般に時間と費用のかかる回路基板の設計変更を実施する必要が生じる。
【００１４】
さらに、図７に示す放電灯点灯装置５０のような放電灯点灯装置においても、上述した異常放電の検知機能を備えることが望ましいが、図８に示す放電灯点灯装置１００における異常放電検知機能は、放電検出用パターン１１１がトランス１０５の二次側のグランド接地側に設けられており、実際に放電現象が発生している高圧部分を直接検知していないため、検知精度の点で改善の余地がある。
【００１５】
本発明は、上記課題に鑑みてなされたものであり、放電灯点灯装置の高圧部で異常放電が発生した場合、その異常放電を高精度に検出して放電灯への給電を停止すると共に、この異常放電の検出用パターンと高圧コンデンサを低廉な構成で実現する放電灯点灯装置を提供することを目的とする。
【課題を解決するための手段】
【００１６】
上記目的を達成するため、本発明に係る放電灯点灯装置は、トランスと、トランス駆動回路と、該トランス駆動回路を制御する制御回路とを備え、前記トランス駆動回路にて前記トランスの一次側を駆動し、前記トランスの二次側に放電灯を接続して点灯させる放電灯点灯装置において、前記トランスの二次側の一端と前記放電灯の間にパターンコンデンサで形成された高圧コンデンサを設けると共に前記高圧コンデンサに近接する放電検出用パターンを設け、前記放電検出用パターンに誘起される電圧を検知して前記トランスの二次側への給電を停止する手段を備えたことを特徴とする。
【００１７】
本発明に係る放電灯点灯装置は、トランスの二次側の一端と放電灯の間にパターンコンデンサで形成された高圧コンデンサを設けると共に高圧コンデンサに近接する放電検出用パターンを設け、放電検出用パターンに誘起される電圧を検知してトランスの二次側への給電を停止する手段を備えているため、放電灯点灯装置の高圧部で異常放電が発生した場合、その異常放電を高精度に検出して放電灯に対する給電を停止することができる。また、本発明に係る放電灯点灯装置は、その高圧コンデンサがパターンコンデンサで形成されているため、部品コストを増大させることなく複数の放電灯に応じた数の高圧コンデンサを設けることが可能となり、大型の液晶表示装置に対する照明装置用の放電灯点灯装置として好適に適用することができる。
【００１８】
本発明の一態様において、前記高圧コンデンサの電極は、プリント基板の両面に形成されていてもよく、あるいは、前記高圧コンデンサの少なくとも一方の電極は、プリント基板の内層に形成されていてもよい。高圧コンデンサの少なくとも一方の電極をプリント基板の内層に形成することによって、高圧コンデンサを構成する両電極間の絶縁性を、沿面距離を考慮することなく向上させることができる。
【００１９】
また、本発明の一態様において、前記放電検出用パターンと前記高圧コンデンサの一方の電極は、プリント基板の同一面上に形成されていてもよく、あるいは、前記放電検出用パターンは、前記高圧コンデンサの両方の電極の間に形成されていてもよい。さらに、前記放電検出用パターンは、ジグザク状に形成された部分を含んでいてもよく、あるいは、渦巻状に形成された部分を含んでいてもよい。高圧コンデンサの電極および放電検出用パターンをこのように構成することによって、プリント基板上の使用可能な配線スペースに応じて、所望のインダクタンスを有する放電検出用パターンを形成することが可能となり、それによって、効率良く放電を検出することができる。
【００２０】
また、本発明の一態様において、前記高圧コンデンサの少なくとも一方の電極は、複数の分割電極パターンにより構成されるものであり、これによって、各分割電極パターンの接続構成を変更することで、プリント基板の再設計を要することなく、容易に高圧コンデンサの容量値を調整することができる。
【発明の効果】
【００２１】
本発明は、以上のように構成したため、放電灯点灯装置の高圧部で異常放電が発生した場合、その異常放電を高精度に検出して放電灯への給電を停止すると共に、この異常放電の検出用パターンと高圧コンデンサを低廉な構成で実現する放電灯点灯装置を提供することが可能となる。
【発明を実施するための最良の形態】
【００２２】
以下、本発明の実施の形態を、添付図面に基づいて説明する。図１は、本発明の一実施形態における放電灯点灯装置１を示す回路構成図である。
【００２３】
図１に示す放電灯点灯装置１は、トランス５と、トランス５の一次側に接続されたトランス駆動回路４と、トランス駆動回路４に接続された制御回路３を備え、トランス５の二次側には放電灯６が接続されている。制御回路３は、トランス駆動回路４の駆動周波数を設定する図示しない発振回路などを備えており、放電灯点灯装置１は、制御回路３から出力される制御信号に基づいてトランス駆動回路４がトランス５の一次側を駆動することにより、トランス５の二次側に接続された放電灯６を点灯するものである。
【００２４】
放電灯６は、その一端がトランス５の二次巻線の一端に接続され、放電灯６の他端にはランプ電流を電圧に変換するための電流電圧変換回路７が設けられている。電流電圧変換回路７からの出力信号は制御回路３に入力し、制御回路３は、電流電圧変換回路７からの出力信号に応じて放電灯６を流れるランプ電流が一定になるように、トランス駆動回路４を制御する。
【００２５】
トランス５の二次側のグランド接地側には、過電流検出用の抵抗９と過電流検出用のダイオード１０が並列に接続され、ダイオード１０からの出力信号は、制御回路３が備える図示しない比較回路に入力され、この比較回路であらかじめ設定した基準電圧と比較されて、この基準電圧を超えた場合には制御回路３によりトランス駆動回路４の動作を停止して、放電灯６の過電流を防止するものである。
【００２６】
本実施形態において、トランス５の二次側の一端と放電灯６との間には、高圧コンデンサ１７と汎用コンデンサ１８からなる直列回路が放電灯６に並列に接続されている。さらに、高圧コンデンサ１７に近接する放電検出用パターン１１が設けられており、放電検出用パターン１１の一方端には放電検出ダイオード１２を設け、他方端はグランドに接地されている。本実施形態において、高圧コンデンサ１７はパターンコンデンサからなるものであり、プリント基板を構成する板状の誘電体と誘電体上の導体パターンの一部として形成される電極パターンとから構成されている。この高圧コンデンサ１７および放電検出用パターン１１の構成の詳細については後述する。また、汎用コンデンサ１８には、チップコンデンサ（電解コンデンサあるいはフィルムコンデンサ）を用いるものとする。
【００２７】
放電灯点灯装置１において、トランス５の二次側には、トランス５のリーケージインダクタンスと、放電灯６の寄生容量と、高圧コンデンサ１７および汎用コンデンサ１８の容量とからなる直列共振回路が形成されており、トランス駆動回路４は、制御回路３によって、この直列共振回路の共振周波数に関連して定まる特定の周波数でトランス５の一次側を駆動するように制御されるものである。その際、高圧コンデンサ１７および汎用コンデンサ１８の容量は、放電灯６の寄生容量に対する補助容量として機能するものであり、高圧コンデンサ１７および汎用コンデンサ１８の容量を変更することによって、二次側に形成される直列共振回路の共振周波数を所望の値に設定することができる。
【００２８】
なお、直列共振回路の共振周波数に関連して定まる特定の周波数は、この共振周波数自体とすることもできるが、好ましくは、この共振周波数未満であってトランス５の一次側の電圧と電流の位相差が少ない範囲（例えば、位相差の最小点より−３０°の範囲）とするものである。あるいは、放電灯６の点灯前にはこの共振周波数近傍の周波数とし、放電灯６の点灯後は、この共振周波数未満であってトランス５の一次側の電圧と電流の位相差が少ない範囲（例えば、位相差の最小点より−３０°の範囲）とするものであってもよい。
【００２９】
さらに、高圧コンデンサ１７および汎用コンデンサ１８は、二次側開放時の電圧検出手段としても機能し、高圧コンデンサ１７および汎用コンデンサ１８で分圧した印加電圧信号１６は、制御回路３が備える図示しない比較回路に入力され、比較回路であらかじめ設定した基準電圧と比較されて、この基準電圧を超えた場合には制御回路３によりトランス駆動回路４の動作を停止して、トランス５の過電圧を防止するものである。
【００３０】
以下、本発明に係る高圧コンデンサおよび放電検出用パターンの構成と、放電を検出してトランスの二次側への給電を停止する手段について、図面に基づいて詳しく説明する。
【００３１】
図２は、本発明に係る高圧コンデンサおよび放電検出用パターンの構成の一例を示す図であり、（ａ）は断面図、（ｂ）は斜視図である。
図２に示す例において、プリント基板２０は両面プリント配線板であり、紙基材フェノール樹脂またはガラス布基材エポキシ樹脂等からなる板状の誘電体２３と、誘電体２３の両面に形成された銅箔等からなる導体パターンから構成されている。本実施形態において、導体パターンには、上面電極２１と下面電極２２からなる電極パターンが含まれており、高圧コンデンサ１７は、プリント板２０の両面にそれぞれ形成された上面電極２１と下面電極２２の間に誘電体２３を挟みこむように構成されている。また、放電検出用パターン１１は、プリント基板２０において、下面電極２１と同一面上に形成されている。
【００３２】
ここで、上面電極２１と下面電極２２は説明の便宜のための呼称として用いるものであり、プリント基板２０の実際の実装配置における上下方向と関連するものではない。例えば、高圧トランス２１に接続する側の電極パターンを上面電極２１、汎用コンデンサ１８と接続側の電極パターンを下面電極２２とする。また、図２においては、放電検出用パターン１１は下面電極２２と同一面に形成されているが、放電検出用パター１１を上面電極２１と同一面に形成するものであってもよい。なお、上面電極２１および下面電極２２から引き出される導体パターンは、プリント基板上の配線スペース等に応じて任意の適切なものとすることができるため、図２〜図６を通じてその図示は省略する。
【００３３】
本実施形態における放電灯点灯装置１において、トランス５の二次側の配線の部分断線した箇所でコロナ放電あるいはアーク放電が生じた場合には、これらの放電がランプ電流にノイズ成分として混入され、このノイズ成分に含まれる高い周波数成分によって、高圧コンデンサ１７にも高周波成分を含む電流が流れる。この結果、高圧コンデンサ１７に近接して配置された放電検出用パターン１１には、高周波成分を含む電流によって誘起電圧が生じる。この誘起電圧は、放電検出ダイオード１２を通じて抵抗１４とコンデンサ１５からなる積分回路１３を経て制御回路３が備える図示しなし比較回路に入力され、比較回路であらかじめ設定した基準電圧と比較される。制御回路３は、積分回路１３から入力される電圧信号が基準電圧を超えた場合には、トランス駆動回路４の動作を停止してトランス５の二次側への給電を停止するものである。これによって、トランス５の二次側の回路中に生じたコロナ放電あるいはアーク放電の持続を遮断し、放電灯点灯装置１を保護することができる。
【００３４】
放電灯点灯装置１では、放電検出用パターン１１をトランス５の高圧側に接続された高圧コンデンサ１７に近接して配置することによって、高圧部で発生するコロナ放電あるいはアーク放電等の異常放電を高精度に検知するものである。
【００３５】
本発明に係る高圧コンデンサの構成は、図２に示すような構成に限定されるものではなく、例えば、多層プリント配線板を用いて構成することもできる。図３（ａ）〜（ｃ）は、本発明に係る高圧コンデンサと放電検出用パターンを、ガラス布エポキシ樹脂積層板等からなる多層プリント配線板を用いて構成する場合の例を示す断面図である。
【００３６】
図３（ａ）に示す例では、上面電極２１および下面電極２１はプリント基板２０ａの外層の両面上にそれぞれ形成されており、放電検出用パターン１１は、プリント基板２０ａの内層に、上面電極２０と下面電極２１の間に挟まれる状態で形成されている。また、図３（ｂ）に示す例では、上面電極２１はプリント基板２０ｂの外層の一面上に形成され、下面電極２２と放電検出用パターン１１は、プリント基板２０ｂの内層の同一面上に形成されている。また、図３（ｃ）に示す例では、上面電極２１はプリント基板２０ｃの外層の一面上に形成され、下面電極２２と放電検出用パターン１１は、プリント基板２０ｃの内層に、上面電極２０と下面電極２１の間に放電検出用パターン１１を挟む状態で形成されている。
【００３７】
ここで、図３（ｂ）および図３（ｃ）に示すような、高圧コンデンサを構成する電極の一方（例えば、下面電極２２）をプリント板の内層に形成する構成の利点を、図４を参照して説明する。
【００３８】
例えば、複数の放電灯を点灯する放電灯点灯装置において、複数の高圧コンデンサを用いる場合には、図４（ａ）に示すように、プリント基板上の限られた配置スペースを有効に利用して隣り合う高圧コンデンサの電極間の絶縁性を高める方法として、プリント基板３０にスリット２４を穿設し、隣り合う高圧コンデンサの電極間の沿面距離を長くとることがある。
【００３９】
この場合、図４（ｂ）に示すように、高圧コンデンサの二つの電極２１、２２をプリント基板３０ｂの両面に配置した構成では、上面電極２１と下面電極２２との間に、スリット２４の内面を含む沿面経路が存在することになり、上面電極２１と下面電極２２の絶縁性については、沿面距離２５を十分とることを考慮する必要がある。一方、図４（ｃ）に示すように、高圧コンデンサの二つの電極２１、２２のうちの一方の電極（図示の例では、下面電極２２）をプリント基板３０ｃの内層に埋め込んだ構成では、上面電極２１と下面電極２２との間の絶縁性について、沿面での絶縁を考慮する必要は無く、空間よりも高い絶縁耐圧を有するプリント基板の誘電体２３を介して対抗する電極２１、２２間の絶縁距離２６のみを考慮すればよい。したがって、限られた配置スペース内で、スリット２４を介して複数の高圧コンデンサを配置する場合、高圧コンデンサの二つの電極２１、２２のうちの片方の電極をプリント基板３０ｃの内層に埋め込んだ構成の方が、高圧コンデンサの二つの電極２１、２２をプリント基板３０ｂの両面に配置した構成よりも、上面電極２１と下面電極２２との間の絶縁性を高める上で有利なものとなる。
【００４０】
本発明に係る放電検出用パターンの構成は、図２に示すような直線状のパターンに限定されるものではなく、任意の適切な形状とすることができる。例えば、図５（ａ）に示す放電検出用パターン１１ａのように、ジグザク状に形成された部分を含むものであってもよい。また、放電検出用パターンの位置についても、図２に示すような電極パターンの一側面のみに隣接する位置に限定されるものではなく、電極パターンに対して任意の適切な配置をとることができる。例えば、図５（ｂ）に示す放電検出用パターン１１ｂように、下面電極２２を取り囲むように渦巻状に形成されていてもよい。
【００４１】
本発明に係る高圧コンデンサおよび放電検出用パターンは、図２〜図５に示す構成および配置を適切に組み合わせて形成することができ、それによって、プリント基板上の使用可能な配線スペースに応じて、所望のインダクタンスを有する放電検出用パターンを形成し、効率良く放電を検出するものである。
【００４２】
次に、本発明に係る高圧コンデンサの電極パターンの構成について説明する。図６は、本発明に係る高圧コンデンサの電極パターンの構成例を示す斜視図である。
【００４３】
本発明に係る高圧コンデンサは、好ましくは、その少なくとも一方の電極が複数の分割電極パターンにより構成されるものである。図６（ａ）に示す例では、上面電極２１は分割電極パターン２１ａと、分割電極パターン２１ａよりも小さな面積に形成された３つの分割電極パターン２１ｂからなり、それぞれの分割電極パターン２１ａ、２１ｂを、ジャンパー線２５により接続することにより、一体の上面電極２１が構成されている。この場合、パターンコンデンサの容量は、接続した分割電極パターンの面積の総和に比例するため、分割電極パターン２１ａ、２１ｂの接続構成を変更することにより、所望の容量値を得るものである。したがって、放電灯点灯装置１の何らかの設計変更により、放電灯６の寄生容量が変化した場合でも、プリント基板２０の再設計を要することなく、容易に高圧コンデンサ１７の容量値を調整することができる。
【００４４】
分割電極パターンの構造（形状、大きさ、数量など）は、図６（ａ）に示すような構成に限定されるものではなく、放電灯点灯装置１の回路設計に合わせて、任意の構造を取ることができる。例えば、図６（ｂ）に示すように、比較的面積の小さい分割電極パターン２１ｃを多数配列することにより、コンデンサの容量をさらに精密に調整することが可能となる。
【００４５】
また、図６に示した例では、各分割電極パターンはジャンパー線２５により接続されているが、本発明はこのような接続方法に限定されるものではなく、例えば、チップジャンパーを用いて接続するものであってもよい。あるいは、各分割電極パターンを導体パターンによりあらかじめ接続された状態で形成し、必要に応じて導体パターンを切断することによって、その接続構成を変更するものであってもよい。
【図面の簡単な説明】
【００４６】
【図１】本発明の一実施形態における放電灯点灯装置を示す回路構成図である。
【図２】本発明に係る高圧コンデンサおよび放電検出用パターンの構成の一例を示す図あり、（ａ）は断面図、（ｂ）は斜視図である。
【図３】（ａ）、（ｂ）、および（ｃ）は、本発明に係る高圧コンデンサおよび放電検出用パターンの構成の別の例をそれぞれ示す断面図である。
【図４】本発明に係る高圧コンデンサにおいて、一方の電極をプリント基板の内層に形成する構成の利点を説明するための図であり、（ａ）は下面図、（ｂ）は上面電極および下面電極をプリント基板の外層の両面上にそれぞれ形成する場合の例を示す断面図、（ｃ）は下面電極をプリント基板の内層に形成する場合の例を示す断面図である。
【図５】本発明に係る放電検出用パターンの形状および配置の別の例を示す図であり、（ａ）はジグザグ状、（ｂ）は渦巻き状の場合をそれぞれ示す下面図である。
【図６】（ａ）および（ｂ）は、本発明に係る高圧コンデンサの電極パターンの構成の例を示す斜視図である。
【図７】従来の放電灯点灯装置の一例を示す回路構成図である。
【図８】従来の放電灯点灯装置の別の例を示す回路構成図である。
【符号の説明】
【００４７】
１：放電灯点灯装置、３：制御回路、４：トランス駆動回路、５：トランス、６：放電灯、１１：放電検出用パターン、２１，２２：電極
【図１】
0004716105.tif 000002
【図２】
0004716105.tif 000003
【図３】
0004716105.tif 000004
【図４】
0004716105.tif 000005
【図５】
0004716105.tif 000006
【図６】
0004716105.tif 000007
【図７】
0004716105.tif 000008
【図８】
0004716105.tif 000009